(57)【特許請求の範囲】
【請求項１】
記録すべき記録情報を記録媒体に記録する場合の記録制御に用いられる記録制御情報が、プリピットを形成することにより予め記録されている記録媒体に対して前記記録情報を記録する際に前記プリピットを検出するプリピット検出装置であって、
前記記録情報を記録する際、少なくとも第１のパワーを有する第１光ビームと前記第１のパワーと異なる第２のパワーを有する第２光ビームとを、前記記録情報に対応して時分割的に前記プリピットに照射する照射手段と、
前記第１光ビームの前記プリピットからの反射光を受光して第１受光信号を出力すると共に、前記第２光ビームの前記プリピットからの反射光を受光して第２受光信号を出力する受光手段と、
前記第１受光信号に基づいて前記プリピットを検出し、第１検出信号を出力する第１検出手段と、
前記第２受光信号に基づいて前記プリピットを検出し、第２検出信号を出力する第２検出手段と、
前記第１検出信号と前記第２検出信号との論理和を算出し、プリピット検出信号を出力する論理和手段と、
を備えることを特徴とするプリピット検出装置。
【請求項２】
請求項１に記載のプリピット検出装置において、
前記第１のパワーは前記第２のパワーよりも強いパワーであると共に、前記第１光ビームは、前記記録媒体における前記記録情報を記録すべき情報トラック上に前記記録情報に対応した記録ピットを形成するための光ビームであることを特徴とするプリピット検出装置。
【請求項３】
請求項１又は２に記載のプリピット検出装置において、
前記第１検出手段は、前記第１のパワーに対応した第１閾値と前記第１受光信号とを比較することにより前記プリピットを検出して前記第１検出信号を出力すると共に、
前記第２検出手段は、前記第２のパワーに対応した第２閾値と前記第２受光信号とを比較することにより前記プリピットを検出して前記第２検出信号を出力することを特徴とするプリピット検出装置。
【請求項４】
請求項１から３のいずれか一項に記載のプリピット検出装置において、
前記第１検出手段は、前記記録情報における前記第１光ビームを照射すべきタイミングに相当する第１記録情報に基づいて生成されたゲート信号を用いて前記プリピットを検出し、前記第１検出信号を出力すると共に、
前記第２検出手段は、前記記録情報における前記第２光ビームを照射すべきタイミングに相当する第２記録情報に基づいて生成されたゲート信号を用いて前記プリピットを検出し、前記第２検出信号を出力することを特徴とするプリピット検出装置。
【請求項５】
請求項１から４のいずれか一項に記載のプリピット検出装置において、
前記記録媒体はディスク状記録媒体であると共に、
前記記録制御情報は、前記記録情報の記録時において当該ディスク状記録媒体の回転を制御する回転制御情報であることを特徴とするプリピット検出装置。
【請求項６】
請求項１から５のいずれか一項に記載のプリピット検出装置と、
前記プリピット検出信号をデコードすることにより前記記録制御情報を再生するデコード手段と、
前記再生された記録制御情報を用いて前記記録情報を前記記録媒体に記録する記録手段と、
を備えることを特徴とする情報記録装置。
【発明の詳細な説明】
【０００１】
【発明の属する技術分野】
本発明は、従来のＣＤ（Ｃｏｍｐａｃｔ  Ｄｉｓｋ）等よりも記録密度を飛躍的に向上させたＤＶＤに代表される高密度記録媒体のうち、追記可能なＷＯ（Ｗｒｉｔｅ  Ｏｎｃｅ）型の記録媒体（以下、ＤＶＤ−Ｒ（ＤＶＤ−Ｒｅｃｏｒｄａｂｌｅ）という。）において、画像情報等の記録情報の記録時の位置検索等に必要なアドレス情報又は同期信号或はウォブリング信号等のＤＶＤーＲの回転制御に用いられる回転制御情報等（以下、これらを総称してプリ情報という。）が予め記録されたＤＶＤーＲから当該プリ情報を再生して本来記録すべき上記記録情報を記録するための情報記録装置の技術分野に関する。
【０００２】
【従来の技術】
従来、上述のような、プリ情報が予め記録されており当該プリ情報に基づいて情報が追記可能な記録媒体としては、ＣＤと同程度の記録容量を備える光ディスクであるＣＤ−Ｒ（ＣＤ−Ｒｅｃｏｒｄａｂｌｅ  ）が知られている。
【０００３】
そして、当該ＣＤ−Ｒにおいては、予めＣＤ−Ｒの製造時のプリフォーマットの段階で、記録情報を記録する情報トラック（グルーブトラック又はランドトラック）を、記録すべきプリ情報を予めＦＭ（Ｆｒｅｑｕｅｎｃｙ  Ｍｏｄｕｒａｔｉｏｎ）変調した信号に対応する周波数で波型にウォブリングさせることにより当該プリ情報が記録されていた。
【０００４】
また、従来のＣＤ−Ｒに対して実際に記録情報を記録する際には、当該ウォブリングされているトラックのウォブリング周波数を検出し、これに基づいてＣＤ−Ｒを回転制御するための基準クロックを抽出し、当該抽出した基準クロックに基づいてＣＤ−Ｒを回転させるスピンドルモータを回転制御するための駆動信号を生成すると共に、ＣＤ−Ｒの回転に同期したタイミング情報を含む記録用クロック信号を生成していた。
【０００５】
更に、記録情報の記録時に必要なＣＤ−Ｒ上のアドレスを示す上記アドレス情報については、上記記録情報の記録時に上記プリ情報を再生し、これに基づいて記録すべき位置を検出して記録情報を記録していた。
【０００６】
ところで、上記従来のＣＤ−Ｒにおいては、記録情報の記録時には、当該ＣＤ−Ｒに照射される光ビームについて２種類の強度を有する二つの光ビームを用い、強度の強い方（以下、記録パワーという。）の光ビームを用いて情報トラックに記録情報に対応する記録ピットを形成して記録していた。また、強度が弱い方（以下、再生パワーという。）の光ビームについては、当該光ビームが情報トラックに照射されても記録ピットが形成されることはないが、光ビームが情報トラックを正確にトラッキングする等のために照射しておく必要があるものである。そして、従来のＣＤ−Ｒにおいては、当該再生パワーの光ビームが照射されているときのみ上記ウォブリング周波数をサンプリングしてプリ情報を取得するようにしていた。
【０００７】
これは、ウォブリング周波数に対応する周期がＣＤ−Ｒに記録すべき記録情報に対応する記録ピットの周期よりも十分に長いため、光ビームが再生パワーとなるタイミングでのみ行うサンプリングによっても十分なプリ情報が検出できることに起因している。
【０００８】
【発明が解決しようとする課題】
しかしながら、上述のＤＶＤ−Ｒにおいては、その高記録密度化の要請から隣り合う情報トラックの間隔がＣＤ−Ｒに比してほぼ半分程度となっているため、従来のようにＤＶＤ−Ｒにおける情報トラックをウォブリングさせてプリ情報を記録し、記録時において当該ウォブリング周波数をサンプリングしてプリ情報を取得しようとしても隣接する情報トラックにおけるウォブリング周波数が干渉し合って正確にウォブリング周波数を検出できない場合がある。
【０００９】
そこで、上記ＤＶＤーＲにおいては、当該ＤＶＤーＲにおける情報トラック（例えば、グルーブトラック）を上記基準クロックに基づいた周波数でウォブリングさせると共に、これに加えて、上記プリ情報が二つの上記情報トラックの間にあるトラック（例えば、ランドトラック）に当該プリ情報に対応するプリピットを形成することによっても記録されている。更に、必要に応じて当該プリピットからも上記基準クロックが再生できるようにするために、当該プリピットはＤＶＤ−Ｒの全面に渡ってほぼ均等に形成されている。
【００１０】
ところで、当該ＤＶＤ−Ｒに対する記録情報の記録においても、それに用いられる光ビームとして、上記記録パワーと上記再生パワーの２種類のパワーを有する光ビームを用いる必要があることは従来のＣＤ−Ｒの場合と同様である。従って、ＤＶＤ−Ｒにおいて常に正確にプリ情報を再生するためには、従来のＣＤ−Ｒのように再生パワー時だけでなく、ＤＶＤ−Ｒの全面に形成されているプリピットを記録パワーの光ビームと再生パワーの光ビームの双方において良好に検出することが必要である。
【００１１】
そこで、本発明は上記必要性に鑑みて為されたもので、その課題は、異なる二つのパワーを有する２種類の光ビームについて、いずれの光ビームを照射した場合であっても良好にプリピットを検出することができるプリピット検出装置及び当該プリピット検出装置を備えて正確に記録情報の記録が可能な情報記録装置を提供することにある。
【００１２】
【課題を解決するための手段】
上記の課題を解決するために、請求項１に記載の発明は、記録すべき記録情報をＤＶＤ−Ｒ等の記録媒体に記録する場合の記録制御に用いられる記録制御情報が、プリピットを形成することにより予め記録されている記録媒体に対して前記記録情報を記録する際に前記プリピットを検出するプリピット検出装置であって、前記記録情報を記録する際、少なくとも第１のパワーを有する第１光ビームと前記第１のパワーと異なる第２のパワーを有する第２光ビームとを、前記記録情報に対応して時分割的に前記プリピットに照射するピックアップ等の照射手段と、前記第１光ビームの前記プリピットからの反射光を受光して第１受光信号を出力すると共に、前記第２光ビームの前記プリピットからの反射光を受光して第２受光信号を出力するピックアップ等の受光手段と、前記第１受光信号に基づいて前記プリピットを検出し、第１検出信号を出力するＬＰＦ、加算器、比較回路、ＡＮＤ回路等の第１検出手段と、前記第２受光信号に基づいて前記プリピットを検出し、第２検出信号を出力するＬＰＦ、加算器、比較回路、ＡＮＤ回路等の第２検出手段と、前記第１検出信号と前記第２検出信号との論理和を算出し、プリピット検出信号を出力するＯＲ回路等の論理和手段と、を備える。
【００１３】
請求項１に記載の発明の作用によれば、照射手段は、記録情報を記録する際、少なくとも第１のパワーを有する第１光ビームと第２のパワーを有する第２光ビームとを、記録情報に対応して時分割的にプリピットに照射する。
【００１４】
そして、受光手段は、第１光ビームのプリピットからの反射光を受光して第１受光信号を出力すると共に、第２光ビームのプリピットからの反射光を受光して第２受光信号を出力する。
【００１５】
その後、第１検出手段は、第１受光信号に基づいてプリピットを検出し、第１検出信号を出力する。
【００１６】
一方、第２検出手段は、第２受光信号に基づいてプリピットを検出し、第２検出信号を出力する。
【００１７】
これらにより、論理和手段は、第１検出信号と第２検出信号との論理和を算出し、プリピット検出信号を出力する。
【００１８】
よって、少なくとも第１光ビームが照射されているときと第２光ビームが照射されているときの双方においてプリピットを検出できるので、記録媒体上の全てのプリピットを検出して記録制御情報を取得することができる。
【００１９】
上記の課題を解決するために、請求項２に記載の発明は、請求項１に記載のプリピット検出装置において、前記第１のパワーは前記第２のパワーよりも強いパワーであると共に、前記第１光ビームは、前記記録媒体における前記記録情報を記録すべき情報トラック上に前記記録情報に対応した記録ピットを形成するための光ビームであるように構成される。
【００２０】
請求項２に記載の発明の作用によれば、請求項１に記載の発明の作用に加えて、第１のパワーは第２のパワーよりも強いパワーであると共に、第１光ビームは、記録媒体における情報トラック上に記録情報に対応した記録ピットを形成するための光ビームであるので、記録ピットを形成するための第１光ビームが照射されているときにおいてもプリピットを検出して記録制御情報を取得することができる。
【００２１】
上記の課題を解決するために、請求項３に記載の発明は、請求項１又は２に記載のプリピット検出装置において、前記第１検出手段は、前記第１のパワーに対応した第１閾値と前記第１受光信号とを比較することにより前記プリピットを検出して前記第１検出信号を出力すると共に、前記第２検出手段は、前記第２のパワーに対応した第２閾値と前記第２受光信号とを比較することにより前記プリピットを検出して前記第２検出信号を出力するように構成される。
【００２２】
請求項３に記載の発明の作用によれば、請求項１又は２に記載の発明の作用に加えて、第１検出手段は、第１のパワーに対応した第１閾値と第１受光信号とを比較することによりプリピットを検出して第１検出信号を出力すると共に、第２検出手段は、第２のパワーに対応した第２閾値と第２受光信号とを比較することによりプリピットを検出して第２検出信号を出力するので、第１光ビームを照射する場合と第２光ビームを照射する場合の双方において確実にプリピットを検出することができる。
【００２３】
上記の課題を解決するために、請求項４に記載の発明は、請求項１から３のいずれか一項に記載のプリピット検出装置において、前記第１検出手段は、前記記録情報における前記第１光ビームを照射すべきタイミングに相当する第１記録情報に基づいて生成されたゲート信号を用いて前記プリピットを検出し、前記第１検出信号を出力すると共に、前記第２検出手段は、前記記録情報における前記第２光ビームを照射すべきタイミングに相当する第２記録情報に基づいて生成されたゲート信号を用いて前記プリピットを検出し、前記第２検出信号を出力するように構成される。
【００２４】
請求項４に記載の発明の作用によれば、請求項１から３のいずれか一項に記載の発明の作用に加えて、第１検出手段は、記録情報における第１光ビームを照射すべきタイミングに相当する第１記録情報に基づいて生成されたゲート信号を用いてプリピットを検出し、第１検出信号を出力すると共に、第２検出手段は、記録情報における第２光ビームを照射すべきタイミングに相当する第２記録情報に基づいて生成されたゲート信号を用いてプリピットを検出し、第２検出信号を出力する。
【００２５】
よって、夫々の光ビームに対応する記録情報に基づいて生成されたゲート信号を用いてプリピットを検出するので、プリピットの誤検出を防止できる。
【００２６】
上記の課題を解決するために、請求項５に記載の発明は、請求項１から４のいずれか一項に記載のプリピット検出装置において、前記記録媒体はディスク状記録媒体であると共に、前記記録制御情報は、前記記録情報の記録時において当該ディスク状記録媒体の回転を制御する回転制御情報であるように構成される。
【００２７】
請求項５に記載の発明の作用によれば、請求項１から４のいずれか一項に記載の発明の作用に加えて、記録媒体がディスク状記録媒体であると共に、記録制御情報が、記録情報の記録時において当該ディスク状記録媒体の回転を制御する回転制御情報であるので、全てのプリピットを検出することによりディスク状記録媒体の回転を正確に制御することができる。
【００２８】
上記の課題を解決するために、請求項６に記載の発明は、請求項１から５のいずれか一項に記載のプリピット検出装置と、前記プリピット検出信号をデコードすることにより前記記録制御情報を再生するプリピット信号デコーダ等のデコード手段と、前記再生された記録制御情報を用いて前記記録情報を前記記録媒体に記録するピックアップ等の記録手段と、を備える。
【００２９】
請求項６に記載の発明の作用によれば、請求項１から５のいずれか一項に記載の発明の作用に加えて、デコード手段は、プリピット検出信号をデコードすることにより記録制御情報を再生する。
【００３０】
そして、記録手段は、再生された記録制御情報を用いて記録情報を記録媒体に記録する。
【００３１】
よって、記録媒体上の全てのプリピットを検出することにより全ての記録制御情報を取得して記録情報を記録することができるので、正確且つ確実に記録情報を記録することができる。
【００３２】
【発明の実施の形態】
次に本発明に好適な実施の形態について図面に基づいて説明する。
【００３３】
（Ｉ）記録媒体の実施形態
初めに、記録制御情報としてのプリ情報に対応したプリピットを形成すると共に後述のグルーブトラックを所定の周波数でウォブリングさせて当該記録制御情報を記録した記録媒体としてのＤＶＤ−Ｒの実施形態について図１及び図２を用いて説明する。
【００３４】
初めに、図１を用いて本実施形態のＤＶＤ−Ｒの構造について説明する。
【００３５】
図１において、ＤＶＤ−Ｒ１は色素膜５を備えた一回のみ情報の書込みが可能な色素型ＤＶＤ−Ｒであり、情報トラックとしてのグルーブトラック２と当該グルーブトラック２に再生光又は記録光としてのレーザビーム等の光ビームＢを誘導するための隣接トラックとしてのランドトラック３が形成されている。また、それらを保護するための保護膜７及び記録された情報を再生する際に光ビームＢを反射するための金蒸着面６を備えている。そして、このランドトラック３にプリ情報に対応するプリピット４が形成されている。このプリピット４はＤＶＤ−Ｒ１を出荷する前に予め形成されているものである。
【００３６】
更に、当該ＤＶＤ−Ｒ１においては、グルーブトラック２を当該ＤＶＤ−Ｒ１の回転速度に対応する周波数でウォブリングさせている。このグルーブトラック２のウォブリングによる記録制御情報の記録は、上記プリピット４と同様に、ＤＶＤ−Ｒ１を出荷する前に予め実行されるものである。
【００３７】
そして、ＤＶＤ−Ｒ１に記録情報（プリ情報以外の本来記録すべき画像情報等の情報をいう。以下同じ。）を記録する際には、後述の情報記録装置においてグルーブトラック２のウォブリングの周波数をサンプリングすると共にプリピット４を検出することによりプリ情報を検出し、これらによりＤＶＤ−Ｒ１を所定の回転速度で回転制御する。これと並行して、取得したプリ情報に基づいて記録光としての光ビームＢの最適出力等が設定されると共に、記録情報を記録すべきＤＶＤ−Ｒ１上の位置であるアドレス情報等が取得され、このアドレス情報に基づいて記録情報が対応する記録位置に記録される。
【００３８】
ここで、記録情報の記録時には、光ビームＢをその中心がグルーブトラック２の中心と一致するように照射してグルーブトラック２上に記録情報に対応する記録情報ピットを形成することにより記録情報を形成する。この時、光スポットＳＰの大きさは、図１に示すように、その一部がグルーブトラック２だけでなくランドトラック３にも照射されるように設定される。そして、このランドトラック３に照射された光スポットＳＰの一部の反射光を用いてプッシュプル法（ＤＶＤ−Ｒ１の回転方向に平行な分割線により分割された光検出器を用いたプッシュプル法（以下、ラジアルプッシュプル方式という。））によりプリピット４からプリ情報を検出して当該プリ情報が取得されると共に、グルーブトラック２に照射されている光スポットＳＰの反射光を用いてグルーブトラック２からプリ情報としてウォブリング信号が検出されて回転制御用のクロック信号が取得される。
【００３９】
次に、本実施形態のＤＶＤ−Ｒ１に予め記録されているプリ情報の記録フォーマットについて、図２を用いて説明する。なお、図２において、上段は記録情報における記録フォーマットを示し、下段の波型波形は当該記録情報を記録するグルーブトラック２のウォブリング状態（グルーブトラック２の平面図）を示し、記録情報とグルーブトラック２のウォブリング状態の間の上向き矢印は、プリピット４が形成される位置を模式的に示すものである。ここで、図２においては、グルーブトラック２のウォブリング状態は、理解の容易のため実際の振幅よりも大きい振幅を用いて示してあり、記録情報は当該グルーブトラック２の中心線上に記録される。
【００４０】
図２に示すように、本実施形態においてＤＶＤ−Ｒ１に記録される記録情報は、予め情報単位としてのシンクフレーム毎に分割されている。そして、２６のシンクフレームにより一のレコーディングセクタが形成され、更に、１６のレコーディングセクタにより一のＥＣＣ（Ｅｒｒｏｒ  Ｃｏｒｒｅｃｔｉｎｇ  Ｃｏｄｅ  ）ブロックが形成される。なお、一のシンクフレームは、上記記録情報を記録する際の記録フォーマットにより規定されるビット間隔に対応する単位長さ（以下、Ｔという。）の１４８８倍（１４８８Ｔ）の長さを有しており、更に、一のシンクフレームの先頭の１４Ｔの長さの部分にはシンクフレーム毎の同期を取るための同期情報ＳＹが記録される。
【００４１】
一方、本実施形態においてＤＶＤ−Ｒ１に記録されるプリ情報は、シンクフレーム毎に記録される。ここで、プリピット４によるプリ情報の記録においては、記録情報を構成する夫々のシンクフレームにおける同期情報ＳＹが記録される領域に隣接するランドトラック３上に、プリ情報における同期信号を示すものとして必ず一のプリピット４が形成されると共に、当該同期情報ＳＹ以外の当該シンクフレーム内の前半部分に隣接するランドトラック３上に記録すべきプリ情報の内容（アドレス情報）を示すものとして二又は一のプリピット４が形成される（なお、同期情報ＳＹ以外の当該シンクフレーム内の前半部分については、記録すべきプリ情報の内容によってはプリピット４が形成されない場合もある。）。この際、本実施形態においては、一のレコーディングセクタにおいては、偶数番目のシンクフレーム（以下、ＥＶＥＮフレームという。）のみ又は奇数番目のシンクフレーム（以下、ＯＤＤフレームという。）のみにプリピット４が形成されてプリ情報が記録される。すなわち、図２において、ＥＶＥＮフレームにプリピット４が形成された場合には（図２において実線上向き矢印で示す。）それに隣接するＯＤＤフレームにはプリピット４は形成されない。
【００４２】
一方、グルーブトラック２は、全てのシンクフレームに渡って１４０ｋＨｚ（一のシンクフレームが８波に相当する周波数であり、その周期は１８６Ｔに相当する。）の一定ウォブリング周波数ｆ０でウォブリングされている。そして、後述の情報記録装置において、当該一定のウォブリング周波数ｆ０を有するウォブリング信号を検出することでスピンドルモータの回転制御のための信号が検出される。
【００４３】
（ＩＩ）情報記録装置の全体構成及び動作
次に、本発明に係る情報記録装置の実施の形態について、図３乃至図６に基づいて説明する。なお、以下の説明は、ホストコンピュータから送信されてくるディジタル情報を上記ＤＶＤ−Ｒ１に対して記録するための情報記録装置について本発明を適用した場合の実施の形態を説明するものである。
【００４４】
始めに、本実施形態に係る情報記録装置の全体構成及び動作について、図３を用いて説明する。なお、以下の実施の形態では、ＤＶＤ−Ｒ１には、当該ＤＶＤ−Ｒ１上のアドレス情報等を含む上記プリピット４及びウォブリングするグルーブトラック２が予め形成されており、ディジタル情報の記録時には、当該プリピット４を予め検出することによりＤＶＤ−Ｒ１上のアドレス情報等を得、これによりディジタル情報を記録するＤＶＤ−Ｒ１上の記録位置を検出して記録するものとする。
【００４５】
図３に示すように、実施形態の情報記録装置Ｓは、記録手段、照射手段及び受光手段としてのピックアップ１０と、再生増幅器１１と、デコーダ１２と、ＣＰＵ１３と、エンコーダ１４と、パワー制御回路１５と、レーザ駆動回路１６と、デコーダ手段としてのプリピット信号デコーダ１８と、プリピット信号検出器１９と、位相比較器２１及び２３と、ウォブリング信号抽出器２２と、基準クロック発生器２４と、スピンドルドライバ２５と、スピンドルモータ２６と、ＬＰＦ（Ｌｏｗ  Ｐａｓｓ  Ｆｉｌｔｅｒ）２８と、ＶＣＯ（Ｖｏｌｔａｇｅ  Ｃｏｎｔｒｏｌｌｅｄ  Ｏｓｃｉｌｌａｔｏｒ）２９とにより構成されている。この情報記録装置Ｓには、外部のホストコンピュータから記録すべきディジタル情報Ｓｒｒがインターフェース１７を介して入力されている。
【００４６】
次に、全体の動作を説明する。
【００４７】
ピックアップ１０は、図示しないレーザダイオード、偏光ビームスプリッタ、対物レンズ、光検出器等を含み、レーザ駆動信号Ｓｄｌに基づいて光ビームＢをＤＶＤ−Ｒ１の情報記録面に照射し、その反射光に基づいてラジアルプッシュプル方式により上記プリピット４及びグルーブトラック２のウォブリング信号を検出して記録すべきディジタル情報Ｓｒｒを記録すると共に、既に記録されているディジタル情報がある場合には、上記光ビームＢの反射光に基づいて当該既に記録されているディジタル情報を検出する。
【００４８】
そして、再生増幅器１１は、ピックアップ１０から出力されたプリピット４及びグルーブトラック２のウォブリング信号に対応する情報を含むピックアップ検出信号Ｓｄｔを増幅し、プリピット４及びグルーブトラック２のウォブリング信号に対応するプリ情報信号Ｓｐｐを出力すると共に、既に記録されているディジタル情報に対応する増幅信号Ｓｐを出力する。
【００４９】
その後、デコーダ１２は、増幅信号Ｓｐに対して８−１６復調及びデインターリーブを施すことにより当該増幅信号Ｓｐをデコードし、復調信号ＳｄｍをＣＰＵ１３に出力する。
【００５０】
一方、プリピット信号検出器１９は、プリ情報信号Ｓｐｐに基づいて後述の処理によりプリピット検出信号Ｓｐｄとしてのパルス信号をプリピット信号デコーダ１８及び位相比較器２３に出力する。
【００５１】
更に、位相比較器２３、ＬＰＦ２８及びＶＣＯ２９はいわゆるＰＬＬ回路を構成するものであり、入力されたプリピット検出信号Ｓｐｄの位相に同期した記録用クロック信号Ｓｃｒをエンコーダ１４及びプリピット信号検出器１９に出力する。
【００５２】
また、ウォブリング信号抽出器２２は、プリ情報信号Ｓｐｐからウォブリング信号成分を抽出するＢＰＦ（Ｂａｎｄ  Ｐａｓｓ  Ｆｉｌｔｅｒ）と当該抽出されたウォブリング信号成分を所定の基準値と比較するコンパレータとを備え、当該ウォブリング信号成分の振幅レベルが上記基準値よりも大となる期間だけパルス信号を出力する。すなわち、当該ウォブリング信号成分をパルス列化し、抽出ウォブリング信号Ｓｗｂとして、位相比較器２１に出力する。
【００５３】
更に、位相比較器２１は、入力された抽出ウォブリング信号Ｓｗｂと基準クロック発生器２４から供給されるＤＶＤ−Ｒ１の回転速度の基準周波数成分を含む基準クロック信号Ｓｒｅｆとの位相比較を行い、その差信号を回転制御信号としてスピンドルドライバ２５を介してスピンドルモータ２６に供給する。これにより、スピンドルモータ２６に対してスピンドルサーボ制御が施され、ＤＶＤ−Ｒ１は基準クロック信号Ｓｒｅｆの周波数及び位相に基づいた回転速度で回転することとなる。
【００５４】
また、インターフェース１７は、ＣＰＵ１３の制御のもと、ホストコンピュータから送信されてくるディジタル情報Ｓｒｒに対して、当該ディジタル情報Ｓｒｒを情報記録装置Ｓに取り込むためのインターフェース動作を行い、インターフェース処理後のディジタル情報ＳｒｒをＣＰＵ１３を介してエンコーダ１４に出力する。
【００５５】
これにより、エンコーダ１４は、ＶＣＯ２９からの記録用クロック信号Ｓｃｒをタイミング信号として、図示しないＥＣＣジェネレート処理、８−１６変調並びにスクランブル処理を施して変調信号Ｓｒｅを生成し、パワー制御回路１５及びプリピット信号検出器１９に出力する。
【００５６】
その後、パワー制御回路１５は、ＤＶＤ−Ｒ１上に形成される記録ピットの形状を良好とすべく、上記記録用クロック信号Ｓｃｒに基づいて変調信号Ｓｒｅの波形変換（いわゆるライトストラテジ処理）を行い、ピックアップ１０内の図示しないレーザダイオードを駆動するための記録信号Ｓｄとして出力する。
【００５７】
更に、レーザ駆動回路１６は、記録信号Ｓｄに基づいて、実際に上記レーザダイオードを駆動して光ビームＢを出射させるための上記レーザ駆動信号Ｓｄｌを出力する。
【００５８】
最後に、ＣＰＵ１３は、プリピット検出信号Ｓｐｄに基づいて上記プリピット信号デコーダ１８から出力されるプリ情報デコード信号Ｓｐｊに基づいて上記プリ情報を取得し、当該プリ情報に含まれているアドレス情報に対応するＤＶＤ−Ｒ１上の位置にディジタル情報Ｓｒｒを記録する動作を制御する。これと並行して、ＣＰＵ１３は、復調信号Ｓｄｍに基づいて、既に記録されていたディジタル情報に対応する再生信号をインターフェース１７を介して外部に出力すると共に、情報記録装置Ｓ全体を制御する。
【００５９】
更に、ＣＰＵ１３は、情報記録装置Ｓが記録状態であるか又は再生状態であるかを示す状態表示信号Ｓｒｐを生成し、プリピット信号検出器１９に出力する。
【００６０】
（ＩＩＩ）プリピット信号検出器の細部構成及び動作
次に、本発明に係るプリピット信号検出器１９の細部構成及び動作について、図４乃至図６を用いて説明する。なお、図４はプリピット信号検出器１９の全体構成を示すブロック図であり、図５は後述のゲートタイミング生成器４３の細部構成を示すブロック図であり、図６はプリピット信号検出器１９の各部の動作を示すタイミングチャートである。
【００６１】
図４に示すように、プリピット信号検出器１９は、サンプルホールド回路３１と、第２検出手段としてのＬＰＦ３２（カットオフ周波数が数ｋＨｚ）、加算器３３、参照電圧発生器４４、比較器３４及びＡＮＤ回路３８と、第１検出手段としてのＬＰＦ３５（カットオフ周波数が数ｋＨｚ）、加算器３６、参照電圧発生器４５、比較器３７及びＡＮＤ回路３９と、ゲートタイミング生成器４３と、パルス幅延長器４０及び４１と、論理和手段としてのＯＲ回路４２とにより構成されている。
【００６２】
また、上記ゲートタイミング生成器４３は、図５に示すように、ｎ段シフトレジスタを形成するｎ個のＤ型のフリップフロップ回路５０（遅延量Ｔ）と、Ｄ型のフリップフロップ回路５４（遅延量Ｔ）と、ＮＯＲ回路５１と、ＡＮＤ回路５２と、スイッチ部５３とにより構成されている。
【００６３】
次に、プリピット信号検出器１９の動作について、図４乃至図６を用いて説明する。
【００６４】
（ｉ）情報記録時の動作
始めに、ＤＶＤ−Ｒ１に対してディジタル情報Ｓｒｒを記録する際のプリピット信号検出器１９の動作を説明する。
【００６５】
ゲートタイミング生成器４３には、変調信号Ｓｒｅ（図６最上段参照）と状態表示信号Ｓｒｐと記録用クロック信号Ｓｃｒとが入力されている。このうち、変調信号Ｓｒｅはｎ段シフトレジスタを形成する第１段目のフリップフロップ回路５０の入力端子に接続され、更に記録用クロック信号Ｓｃｒが各フリップフロップ回路５０及び５４のクロック端子に並列的に入力されており、これらにより、変調信号Ｓｒｅがｎ段のフリップフロップ回路５０分（より具体的には、ｎ×Ｔｓｅｃ分）だけ遅延される。この遅延量は、変調信号Ｓｒｅとプリピット信号デコーダ１８より出力されるプリ情報デコード信号Ｓｐｊとの同期を取ってディジタル情報Ｓｒｒを記録するために、図３に示すパワー制御回路１５、レーザ駆動回路１６、ピックアップ１０、再生増幅器１１及びＢＰＦ２０の夫々における固定遅延量の和と等しい遅延量となるように設定される。
【００６６】
そして、最終段のフリップフロップ回路５０の出力信号である遅延信号Ｓｃ（図６上から５段目参照）がフリップフロップ回路５４の入力端子に出力されると共に、最終段のフリップフロップ回路５０の入力信号である遅延信号Ｓａ（図６上から４段目参照）と、フリップフロップ回路５４の出力信号である遅延信号Ｓｂ（図６上から６段目参照）が夫々別個に図５に示すようにＮＯＲ回路５１とＡＮＤ回路５２とに出力されている。このとき、遅延信号Ｓａと遅延信号Ｓｃとの位相差はＴであり、また、遅延信号Ｓｂと遅延信号Ｓｃとの位相差もＴである。
【００６７】
そして、ＮＯＲ回路５１において遅延信号Ｓａと遅延信号Ｓｂとの否定論理和が算出され、その出力信号がスイッチ部５３に出力される。一方、ＡＮＤ回路５２においては、遅延信号Ｓｂと遅延信号Ｓａとの論理積が算出され、その出力信号がスイッチ部５３に出力される。
【００６８】
ここで、スイッチ部５３には状態表示信号Ｓｒｐが入力されており、当該状態表示信号Ｓｒｐに基づいて、情報記録装置Ｓが記録動作を実行しているときは、遅延信号Ｓａと遅延信号Ｓｂとの否定的論理和を示す否定的論理和信号がスペース期間（上記再生パワーで光ビームＢがＤＶＤ−Ｒ１に照射されている期間をいう。以下、同じ。）におけるゲート信号であるスペースゲート信号Ｓｓｐ（図６上から７段目参照）として出力されると共に、遅延信号Ｓａと遅延信号Ｓｂとの論理積を示す論理積信号がマーク期間（上記記録パワーで光ビームＢがＤＶＤ−Ｒ１に照射され、記録ピットが形成される期間をいう。以下、同じ。）におけるゲート信号であるマークゲート信号Ｓｍｋ（図６上から８段目参照）として出力される。
【００６９】
一方、情報記録装置ＳがＤＶＤ−Ｒ１に記録されている情報の再生動作を実行しているときは、状態表示信号Ｓｒｐに基づいてスイッチ部５３が切り換えられ、一定電圧の信号が夫々スペースゲート信号Ｓｓｐ及びマークゲート信号Ｓｍｋとして出力される。
【００７０】
ここで、情報記録時におけるスペースゲート信号Ｓｓｐはスペース期間においてプリピット４の検出を可能とする期間を示すゲート信号であり、マークゲート信号Ｓｍｋはマーク期間においてプリピット４の検出を可能とする期間を示すゲート信号である。そして、スペースゲート信号Ｓｓｐとマークゲート信号Ｓｍｋとが共に“Ｌ”である期間（図６に示すように、各スペース期間とマーク期間との切換タイミングを中心としてその前後２Ｔの期間となる。）はプリピット４の検出を禁止する検出禁止期間となる。ゲートタイミング生成器４３においてこのような検出禁止期間を設定する理由については、スペース期間からマーク期間への遷移時又はマーク期間からスペース期間への遷移時は、ピックアップ１０に含まれるレーザダイオードの出力が記録パワーと再生パワーの相互間で変化する時期であるが、このときにはレーザダイオードの出力が過渡的に変化するため、光ビームＢの強度が過度に変化する場合があり、その場合には、プリッピット４がないにも拘らずプリ情報信号Ｓｐｐがプリピット４が恰も存在しているような変化を呈し、従ってその値が後述の閾値を越えてプリピット４が恰も存在しているようなプリピット検出信号Ｓｐｄが出力されることとなることがある。そこで、これを防止するため、ゲートタイミング生成器４３により上記スペースゲート信号Ｓｓｐとマークゲート信号Ｓｍｋとを生成し、パワーの切換タイミングを含む前後２Ｔ間を検出禁止期間とし、スペースゲート信号Ｓｓｐ又はマークゲート信号Ｓｍｋが“Ｈ”のときだけプリピット４を検出することとしているのである。
【００７１】
一方、プリピット信号検出器１９に入力されているプリ情報信号Ｓｐｐは、比較器３４及び３７、サンプルホールド回路３１及びＬＰＦ３５に接続されている。
【００７２】
このうち、サンプルホールド回路３１は、ＤＶＤ−Ｒ１が偏心を含んで回転しているときには、プリ情報信号Ｓｐｐもその偏心の周期に対応してレベルが変動することとなるが、この変動に対応して後述の閾値を変化させるために当該プリ情報信号Ｓｐｐをサンプルホールドするための回路である。このとき、当該サンプルホールド処理は、上記偏心によるプリ情報信号Ｓｐｐの変動の影響が顕著に現出するスペース期間におけるプリピット４の検出の際に必要となるものである。なお、このサンプルホールド回路３１には上記スペースゲート信号Ｓｓｐが入力されており、当該スペースゲート信号Ｓｓｐで示される期間に対してだけサンプルホールド処理が実行される。
【００７３】
サンプルホールド回路３１においてサンプルホールド処理されたプリ情報信号Ｓｐｐは、ＬＰＦ３２を通過することにより低域成分のみが抽出され、低域成分信号Ｓｌ１として加算器３３に出力される。
【００７４】
一方、加算器３３には、参照電圧発生器４４により発生される参照電圧が印加されている。この参照電圧は、スペース期間において、プリピット４を検出したときのプリ情報信号Ｓｐｐの値とプリピット４を検出しないときのプリ情報信号Ｓｐｐの値とを考慮して設定されている。
【００７５】
そして、当該参照電圧と低域成分信号Ｓｌ１とが加算器３３において加算され、第１閾値としての閾値信号Ｓｌａ１として出力される。この閾値信号Ｓｌａ１は、低域成分信号Ｓｌ１を参照電圧発生部４４からの参照電圧分だけシフトした波形を有しており、スペース期間において、プリピット４を検出したときのプリ情報信号Ｓｐｐの値とプリピット４を検出しないときのプリ情報信号Ｓｐｐの値との間の電圧値を有している（図６下から８段目の点線レベル参照）。
【００７６】
その後、当該閾値信号Ｓｌａ１とプリ情報信号Ｓｐｐとを比較器３４において比較することにより、閾値信号Ｓｌａ１のレベルを越えた部分（すなわち、スペース期間におけるプリピット４のタイミングを示す部分及びマーク期間における記録パワーで光ビームＢが照射されているタイミングを示す部分）が比較信号Ｓｃ１（図６下から７段目参照）として出力される。そして、当該比較信号Ｓｃ１と上記スペースゲート信号Ｓｓｐとの論理積を示す論理積信号Ｓｇ１がＡＮＤ回路３８により生成される。この論理積信号Ｓｇ１はスペース期間におけるプリピット４の有無を示す信号であり、パルス幅延長器４０においてそのパルス幅が延長され、検出信号Ｓｇｅ１としてＯＲ回路４２に出力される。
【００７７】
ここで、パルス幅延長器４０におけるパルス幅の延長は、プリピット４に対応する信号を確実に検出信号Ｓｇｅ１として出力するための処理であり、その延長幅は、論理積信号Ｓｇ１における一のパルスを、２Ｔより長く１８６Ｔより短い長さ（すなわち、時間的に最も近接したプリピット４（図２参照）を確実に区別して検出できる長さ）のパルスとする延長幅とされる。
【００７８】
次に、ＬＰＦ３５に入力されているプリ情報信号Ｓｐｐは、当該ＬＰＦ３５を通過することにより低域成分のみが抽出され、低域成分信号Ｓｌ２として加算器３６に出力される。
【００７９】
一方、加算器３６には、参照電圧発生器４５により発生される参照電圧が印加されている。この参照電圧は、マーク期間において、プリピット４を検出したときのプリ情報信号Ｓｐｐの値とプリピット４を検出しないときのプリ情報信号Ｓｐｐの値とを考慮して設定されている。
【００８０】
そして、当該参照電圧と低域成分信号Ｓｌ２とが加算器３６において加算され、第２閾値としての閾値信号Ｓｌａ２として出力される。この閾値信号Ｓｌａ２は、低域成分信号Ｓｌ２を参照電圧発生部４５からの参照電圧分だけシフトした波形を有しており、マーク期間において、プリピット４を検出したときのプリ情報信号Ｓｐｐの値とプリピット４を検出しないときのプリ情報信号Ｓｐｐの値との間の電圧値を有している（図６下から８段目の点線レベル参照）。
【００８１】
そして、当該閾値信号Ｓｌａ２とプリ情報信号Ｓｐｐとを比較器３７において比較することにより、閾値信号Ｓｌａ２のレベルを越えた部分（すなわち、プリピット４のタイミングを示す部分）が比較信号Ｓｃ２（図６下から６段目参照）として出力される。そして、当該比較信号Ｓｃ２と上記マークゲート信号Ｓｍｋとの論理積を示す論理積信号Ｓｇ２がＡＮＤ回路３９により生成される。この論理積信号Ｓｇ２はマーク期間におけるプリピット４の有無を示す信号であり、パルス幅延長器４１においてパルス幅延長器４０と同様の動作によりそのパルス幅が延長され、検出信号Ｓｇｅ２としてＯＲ回路４２に出力される。
【００８２】
そして、ＯＲ回路４２においては、検出信号Ｓｇｅ１と検出信号Ｓｇｅ２との論理和が算出され、プリピット検出信号Ｓｐｄとして出力される。
【００８３】
ここで、再生パワーの光ビームＢのみが照射されている期間にプリピット４が存在していたときには、図６に示すプリピット位置のうち左側のプリピット４として示されているように、論理積信号Ｓｇ１のみのパルスが延長されてプリピット検出信号Ｓｐｄとして出力されることとなる。
【００８４】
また、光ビームＢのパワーが再生パワーから記録パワーに遷移する前後又は記録パワーから再生パワーに遷移する前後に渡ってプリピット４が存在しているときには、図６に示すプリピット位置のうち右側のプリピット４として示されているように、論理積信号Ｓｇ１のパルスが延長された検出信号Ｓｇｅ１と論理積信号Ｓｇ２のパルスが延長された検出信号Ｓｇｅ２との論理和としてプリピット検出信号Ｓｐｄが出力されることとなる。これにより、光ビームＢのパワーが変化するその前後において、同一のプリピット４を二重に検出することを防止できる。
【００８５】
更に、図６には示していないが、記録パワーの光ビームＢのみが照射されている期間にプリピット４が存在していたときには、論理積信号Ｓｇ２のみのパルスが延長されてプリピット検出信号Ｓｐｄとして出力されることとなる。
【００８６】
以上説明したプリピット信号検出器１９の動作により、情報の記録時において、光ビームＢのパワーが記録パワーと再生パワーの双方で変化する場合でもプリピット４を検出してプリ情報を取得することができる。
【００８７】
（ｉｉ）情報再生時の動作
次に、ＤＶＤ−Ｒ１に既に記録されているディジタル情報Ｓｒｒを再生する際のプリピット信号検出器１９の動作を説明する。
【００８８】
情報の再生時においては、ゲートタイミング生成器４３のスイッチ部５３は、状態表示信号Ｓｒｐに基づいて切り換えられ、スペースゲート信号Ｓｓｐ及びマークゲート信号Ｓｍｋとして常に一定の電圧値が出力される。
【００８９】
一方、光ビームＢのパワーとしては常に再生パワーであるので、当該光ビームＢの反射光から検出されるプリ情報信号Ｓｐｐについては、プリピット４が存在しているタイミングにおけるプリ情報信号Ｓｐｐのレベルが加算器３３で設定される閾値信号Ｓｌａ１のレベルを越えることとなるので、このとき、当該プリピット４に対応した波形の比較信号Ｓｃ１、論理積信号Ｓｇ１及び検出信号Ｓｇｅ１が出力される（図６に示すプリピット位置のうち左側のプリピット４として示されている場合に相当する。）。
【００９０】
一方、プリピット４が存在しているタイミングにおけるプリ情報信号Ｓｐｐのレベルであっても、加算器３６で設定される閾値信号Ｓｌａ２のレベルを越えることはないので（光ビームＢのパワーが記録パワーにはならないことによる。）、このときには、比較信号Ｓｃ２、論理積信号Ｓｇ２及び検出信号Ｓｇｅ２としては“Ｌ”のレベルの信号が出力されるのみである。
【００９１】
従って、プリピット検出信号Ｓｐｄとしては、論理積信号Ｓｇ１のパルスが延長された検出信号Ｓｇｅ１のみに基づく波形が出力されることとなる。
【００９２】
以上説明したように、情報記録装置Ｓにおけるプリピット信号検出器１９の動作によれば、情報記録時において、スペース期間とマーク期間の双方においてプリピット４検出できるので、ＤＶＤ−Ｒ１上の全てのプリピット４を検出してプリ情報を取得することができる。
【００９３】
また、ＬＰＦ３２、加算器３３、比較器３４及びＡＮＤ回路３８又はＬＰＦ３５、加算器３６、比較器３７及びＡＮＤ回路３９が、夫々の光ビームＢのパワーに対応した閾値を用いて夫々の検出信号Ｓｇｅ１又はＳｇｅ２を出力するので、記録パワーと再生パワーの双方において確実にプリピット４を検出することができる。
【００９４】
更に、変調信号Ｓｒｅに基づいて生成されたゲート信号Ｓｓｐ又はＳｍｋを用いてプリピット４を検出するので、スペース期間とマーク期間に跨がってプリピット４が存在していたときでもその誤検出を防止できる。
【００９５】
更にまた、全てのプリピット４を検出することにより取得したプリ情報を用いてＤＶＤ−Ｒ１の回転を正確に制御することができる。
【００９６】
更に、プリピット検出信号Ｓｐｄをデコードしてプリ情報を再生し、当該再生されたプリ情報を用いてディジタル情報ＳｒｒをＤＶＤ−Ｒ１に記録するので、ＤＶＤ−Ｒ１上の全てのプリピット４を検出することにより全てのプリ情報を取得してディジタル情報Ｓｒｒを記録することができ、正確且つ確実にディジタル情報Ｓｒｒを記録することができる。
【００９７】
なお、上記の実施形態は、追記型光ディスクであるＤＶＤ−Ｒ１について本発明を適用した場合について説明したが、いわゆる相変化材料等をその記録層として用いた書換可能型光ディスクに対して本発明を適用することも可能である。この場合には、上記記録パワーの光ビーム及び再生パワーの光ビームに加えて、当該記録パワー又は再生パワーとは異なる消去パワーを有する光ビームを含む三種類のパワーの光ビームを記録情報に対応して時分割的に照射することとなる。そして、この場合に本発明を適用するには、上記プリピット検出器１９において、新たに消去パワーの光ビームに夫々対応するＬＰＦ、加算器、参照電圧発生器、比較器、ＡＮＤ回路並びにパルス幅延長器を備えたプリピット検出チャネルを設け、当該プリピット検出チャネルにより生成される検出信号と他の検出信号Ｓｇｅ１又はＳｇｅ２との論理和を取ってプリピット検出信号を出力する構成とすればよい。
【００９８】
また、上記の実施形態では、記録パワーとして一種類のパワーを用いる例について説明したが、これ以外に、パワー制御回路１５から出力されるライトストラテジ処理された記録信号Ｓｄのパルス幅の違い（例えば、記録信号Ｓｄにおける記録ピットを形成すべき信号期間の最初に出力されるパルス（以下、トップパルスという。）と、当該トップパルスに続くパルス列では、そのパルス幅が異なっている。）に基づいて記録パワーを変化させて記録したい場合等においては、トップパルスとパルス列とで参照電圧を異ならせた別個のプリピット検出チャネルを設け、当該夫々のプリピット検出チャネルから得られる検出信号と再生パワーに対応するプリピット検出チャネルから得られる検出信号との論理和を取る構成とすればよい。
【００９９】
更に、上記の実施形態は、ＤＶＤ−Ｒ１について本発明を適用した場合について説明したが、これに限らず、トラックのウォブリング及びプリピットにより記録制御のための情報を記録している記録媒体（例えば、テープ状記録媒体等）に対して、所定のディジタル情報を記録する場合に広く適用することができる。
【０１００】
【発明の効果】
以上説明したように、請求項１に記載の発明によれば、少なくとも第１光ビームが照射されているときと第２光ビームが照射されているときの双方においてプリピットを検出できるので、記録媒体上の全てのプリピットを検出して記録制御情報を取得することができる。
【０１０１】
請求項２に記載の発明によれば、請求項１に記載の発明の効果に加えて、第１のパワーは第２のパワーよりも強いパワーであると共に、第１光ビームは、記録媒体における情報トラック上に記録情報に対応した記録ピットを形成するための光ビームであるので、記録ピットを形成するための第１光ビームが照射されているときにおいてもプリピットを検出して記録制御情報を取得することができる。
【０１０２】
請求項３に記載の発明によれば、請求項１又は２に記載の発明の効果に加えて、夫々の検出手段が、夫々の光ビームのパワーに対応した閾値を用いて夫々の検出信号を出力するので、第１光ビームを照射する場合と第２光ビームを照射する場合の双方において確実にプリピットを検出することができる。
【０１０３】
請求項４に記載の発明によれば、請求項１から３のいずれか一項に記載の発明の効果に加えて、夫々の光ビームに対応する記録情報に基づいて生成されたゲート信号を用いてプリピットを検出するので、プリピットの誤検出を防止できる。
【０１０４】
請求項５に記載の発明によれば、請求項１から４のいずれか一項に記載の発明の効果に加えて、記録媒体がディスク状記録媒体であると共に、記録制御情報が回転制御情報であるので、全てのプリピットを検出することによりディスク状記録媒体の回転を正確に制御することができる。
【０１０５】
請求項６に記載の発明によれば、請求項１から５のいずれか一項に記載の発明の効果に加えて、プリピット検出信号をデコードして記録制御情報を再生し、当該再生された記録制御情報を用いて記録情報を記録媒体に記録するので、記録媒体上の全てのプリピットを検出することにより全ての記録制御情報を取得して記録情報を記録することができ、正確且つ確実に記録情報を記録することができる。
【図面の簡単な説明】
【図１】実施形態のＤＶＤ−Ｒの構成の一例を示す斜視図である。
【図２】実施形態のＤＶＤ−Ｒにおける記録フォーマットの一例を示す図である。
【図３】情報記録装置の概要構成を示すブロック図である。
【図４】プリピット信号検出器の細部構成を示すブロック図である。
【図５】ゲートタイミング生成器の細部構成を示すブロック図である。
【図６】プリピット信号検出器の動作を示すタイミングチャートである。
【符号の説明】
１…ＤＶＤ−Ｒ
２…グルーブトラック
３…ランドトラック
４…プリピット
５…色素膜
６…金蒸着面
７…保護層
１０…ピックアップ
１１…再生増幅器
１２…デコーダ
１３…ＣＰＵ
１４…エンコーダ
１５…パワー制御回路
１６…レーザ駆動回路
１７…インターフェース
１８…プリピット信号デコーダ
１９…プリピット信号検出器
２１、２３…位相比較器
２２…ウォブリング信号抽出器
２４…基準クロック発生器
２５…スピンドルドライバ
２６…スピンドルモータ
２８…ＬＰＦ
２９…ＶＣＯ
３１…サンプルサーボ回路
３２、３５…ＬＰＦ
３３、３６…加算器
３４、３７…比較器
３８、３９、５１…ＡＮＤ回路
４０、４１…パルス幅延長器
４２…ＯＲ回路
４３…ゲートタイミング生成器
４４、４５…参照電圧発生器
５０、５４…フリップフロップ回路
５２…ＮＯＲ回路
５３…スイッチ部
Ｓｄｌ…レーザ駆動信号
Ｓｄ…記録信号
Ｓｒｅ…変調信号
Ｓｒｒ…ディジタル情報
Ｓｄｍ…復調信号
Ｓｐ…増幅信号
Ｓｐｐ…プリ情報信号
Ｓｒｐ…状態表示信号
Ｓｐｊ…プリ情報デコード信号
Ｓｐｄ…プリピット検出信号
Ｓｃｒ…記録用クロック信号
Ｓｗｂ…抽出ウォブリング信号
Ｓｃｋ…クロック信号
Ｓｒｅｆ…基準クロック信号
Ｓｄｔ…ピックアップ検出信号
Ｓｌ１、Ｓｌ２…低域成分信号
Ｓｌａ１、Ｓｌａ２…閾値信号
Ｓｃ１、Ｓｃ２…比較信号
Ｓｇ１、Ｓｇ２…論理積信号
Ｓｇｅ１、Ｓｇｅ２…検出信号
Ｓｓｐ…スペースゲート信号
Ｓｍｋ…マークゲート信号
Ｓａ、Ｓｂ、Ｓｃ…遅延信号
ＳＹ…同期情報
【図１】
0003555055.tif 000002
【図２】
0003555055.tif 000003
【図３】
0003555055.tif 000004
【図４】
0003555055.tif 000005
【図５】
0003555055.tif 000006
【図６】
0003555055.tif 000007